(57)【要約】【課題】  昇降式収納装置において、昇降用開口の付近に異物がある時に、収納棚の昇降動作を停止させて安全性を向上させるようにした昇降式収納装置を提供する。【解決手段】  キッチン用フロアキャビネット１のカウンターの一部に形成した昇降用開口５内に配置される収納棚（水切り棚）２と、この収納棚２をカウンター下の収納空間１４に下降させるとともに、カウンター上に上昇させる昇降機構６とを備えた昇降式収納装置において、昇降用開口５の付近に異物があることを検出する異物検出手段３８，３９を設けるとともに、異物検出手段３８，３９で異物を検出した時に、収納棚２の昇降動作を停止させる異物検出停止手段（制御ボックス）４０を設けて、昇降用開口５の付近に異物があることを異物検出手段３８，３９で検出した時に、異物検出停止手段４０で収納棚２の昇降動作を停止させる。【選択図】  図８
2006136703.tif 000002
【特許請求の範囲】
【請求項１】
キッチン用フロアキャビネットのカウンターの一部に形成した昇降用開口内に配置される収納棚と、この収納棚をカウンター下の収納空間に下降させるとともに、カウンター上に上昇させる昇降機構とを備えた昇降式収納装置において、
前記昇降用開口の付近に異物があることを検出する異物検出手段を設けるとともに、前記異物検出手段で異物を検出した時に、前記収納棚の昇降動作を停止させる異物検出停止手段を設けたことを特徴とする昇降式収納装置。
【請求項２】
前記収納棚の下降時に、前記異物検出手段で異物を検出した時に、前記異物検出停止手段で、前記収納棚の下降動作を停止して、停止後に所定の上昇位置まで上昇動作をさせるようにしたことを特徴とする請求項１に記載の昇降式収納装置。
【請求項３】
前記異物検出手段は、前記昇降用開口の周囲のカバー枠に設けていることを特徴とする請求項１または２に記載の昇降式収納装置。
【請求項４】
前記異物検出手段は、静電検出センサーであることを特徴とする請求項１〜３のいずれか一項に記載の昇降式収納装置。
【請求項５】
前記異物検出手段は、圧電センサーであることを特徴とする請求項１〜３のいずれか一項に記載の昇降式収納装置。
【請求項６】
前記異物検出手段は、静電検出センサーと圧電センサーとを組み合わせたものであることを特徴とする請求項１〜３のいずれか一項に記載の昇降式収納装置。
【発明の詳細な説明】
【技術分野】
【０００１】
本発明は、キッチン用フロアキャビネットに設けられる昇降式収納装置に関する。
【背景技術】
【０００２】
一般に、キッチン用フロアキャビネットは、カウンター下に収納部を設けているから、収納物（皿、鍋、調味料等）を出し入れするには、調理作業等を一旦中断して屈んだ状態で収納部から収納物を出し入れする必要があった。
【０００３】
このため、フロアキャビネット上方の天袋に収納部を設けて、収納物を出し入れする際に、収納部を引き下ろせるようにしたものがある（特許文献１、２参照）。
【０００４】
しかしながら、特許文献１、２のような昇降式収納装置は、収納部を引き下ろした時でも、収納部の上段に収納物を出し入れしにくいという問題があった。
【０００５】
また、キッチンとダイニングとの間に壁面が無いオープン型の対面キッチンにおいては、設置すべき壁面が無いので、昇降式収納装置を設置しづらいという問題があった。
【０００６】
なお、物品検査スイッチによる物品検査結果に基づいて収納体の昇降を停止させる収納装置がある（特許文献３）。
【０００７】
そこで、本出願人は、オープン型の対面キッチンに好適で、収納物を出し入れしやすくするために、キッチン用フロアキャビネットのカウンターの一部に形成した昇降用開口内に配置される収納棚（水切り棚）と、この収納棚（水切り棚）をカウンター下の収納空間に下降させるとともに、カウンター上に上昇させる昇降機構とを備えた昇降式収納装置を提案した。
【特許文献１】特開２０００−３１６６４３号公報
【特許文献２】特開２００１−１４９２９７号公報
【特許文献３】実公平６−２０４３７号公報
【発明の開示】
【発明が解決しようとする課題】
【０００８】
本出願人の提案に係る昇降式収納装置において、昇降用開口の付近に異物がある時に、収納棚の昇降動作を停止させて安全性を向上させたいという要望があった。
【０００９】
本発明は、前記要望に応えるためになされたもので、昇降用開口の付近に異物がある時に、収納棚の昇降動作を停止させて安全性を向上させるようにした昇降式収納装置を提供することを課題とするものである。
【課題を解決するための手段】
【００１０】
前記課題を解決するために、本発明は、キッチン用フロアキャビネットのカウンターの一部に形成した昇降用開口内に配置される収納棚と、この収納棚をカウンター下の収納空間に下降させるとともに、カウンター上に上昇させる昇降機構とを備えた昇降式収納装置において、前記昇降用開口の付近に異物があることを検出する異物検出手段を設けるとともに、前記異物検出手段で異物を検出した時に、前記収納棚の昇降動作を停止させる異物検出停止手段を設けたことを特徴とする昇降式収納装置を提供するものである。
【００１１】
異物が挟まれることを未然に防止するとともに、異物が挟まれていても容易に取り除くことができるようにするために、前記収納棚の下降時に、前記異物検出手段で異物を検出した時に、前記異物検出停止手段で、前記収納棚の下降動作を停止して、停止後に所定の上昇位置まで上昇動作をさせるように構成することが好ましい。
【００１２】
収納棚とカバー枠との間に異物が挟まれることを未然に防止するために、前記異物検出手段は、前記昇降用開口の周囲のカバー枠に設けている構成とすることが好ましい。
【００１３】
静電容量を持つ異物（例えば人体）を検出するために、前記異物検出手段は、静電検出センサーである構成とすることが好ましい。
【００１４】
静電容量を持たない異物（例えば調味料の瓶等）を検出するために、前記異物検出手段は、圧電センサーである構成とすることが好ましい。
【００１５】
静電容量を持つ異物（例えば人体）と静電容量を持たない異物（例えば調味料の瓶等）とを検出するために、前記異物検出手段は、静電検出センサーと圧電センサーとを組み合わせたものである構成とすることが好ましい。
【発明の効果】
【００１６】
本発明によれば、昇降用開口の付近に異物があることを異物検出手段で検出した時に、異物検出停止手段で収納棚の昇降動作を停止させるようにしたから、安全性が向上するようになる。
【発明を実施するための最良の形態】
【００１７】
以下、本発明を実施するための最良の形態について、図面を参照しながら詳細に説明する。
【００１８】
図１はキッチン用フロアキャビネット１であって、（ａ）は収納棚（水切り棚）２が下降位置（不使用時）Ｄの斜視図、（ｂ）は収納棚２が上昇位置（使用時）Ｕの斜視図である。図１のフロアキャビネット１は、キッチンとダイニングとの間に壁面が無いオープン型の対面キッチンを想定しているが、オープン型の対面キッチンでなくても可能である。
【００１９】
前記フロアキャビネット１のカウンターの右側位置にシンク３が設けられ、このシンク３の後方位置に収納棚２が配置されている。なお、シンク３の側方位置に収納棚２を配置することもできる。前記フロアキャビネット１のカウンターの左側位置にコンロ４が設けられている。ここで、左右や前後の方向の表現は、キッチン側でシンク３の前に立ってダイニング側を向いた者が見た状態としている。
【００２０】
図２（ａ）に示すように、前記フロアキャビネット１がＬ型である場合には、前記収納棚２をコーナースペースに設けることができる。この場合には、デッドスペースとなるコーナースペースを有効に利用できるようになる。特に収納棚２のキッチン側の左右両面を開口しておけば、食器等の収納物を出し入れしやすくなって、使い勝手が良くなる。また、具体的な図示は省略するが、前記フロアキャビネット１がＵ型である場合には、前記収納棚２を左右のコーナースペースの少なくとも一方に設けることができる。この場合でも、前記Ｌ型のフロアキャビネット１と同様の効果を奏することができる。
【００２１】
前記収納棚２は、フロアキャビネット１のカウンターに形成された昇降用開口５内に配置されて、この収納棚２は、後述する昇降機構６によって、カウンター下の収納空間１４（図３参照）に下降させる下降位置Ｄと、カウンター上に上昇させる上昇位置Ｕとに昇降されるようになる。
【００２２】
前記収納棚２には、上下２段で食器類の水切り部２ａ，２ｂが設けられ、上段の水切り部２ａの上方には、ふきん掛け部２ｃとまな板収納部２ｄとが設けられ、水切り部２ａ，２ｂの左方には、上下２段で調味料やラップ等の小物収納部２ｅが設けられている。
【００２３】
前記収納棚２の天板２ｆは、図１（ａ）のように、下降位置Ｄでは、昇降用開口５を覆ってフロアキャビネット１のカウンター面と僅かの隙間を隔てて対向し、カウンターの一部を構成することになるから、この天板２ｆの上をカウンタースペース（作業スペース）として利用することができる。
【００２４】
この天板２ｆの右側前面位置には、収納棚２を昇降操作するためのスイッチパネル７が取付けられ、このスイッチパネル７には、図２（ｂ）に詳細に示すように、上昇スイッチ７ａ、停止スイッチ７ｂ、下降スイッチ７ｃが設けられるとともに、点滅ランプやスピーカー等でなるトラップ給水報知・警報部７ｄ、異物挟み込み報知・警報部７ｅ、過積載報知・警報部７ｆが設けられている。
【００２５】
図６（ａ）は天板２ｆを省略した収納棚２の斜視図、図７は収納棚２の分解斜視図である。
【００２６】
前記収納棚２は、横長長方形状の上部フレーム２Ａと下部フレーム２Ｂと、縦長長方形状の左側部フレーム２Ｃと右側部フレーム２Ｄとで横長四角枠状に組み立てられて、左側部フレーム２Ｃと右側部フレーム２Ｄとの間には、左側部フレーム２Ｃ寄りに、仕切り板２ｇを有する仕切りフレーム２Ｅが取付けられている。
【００２７】
前記仕切りフレーム２Ｅと右側部フレーム２Ｄとの間には、前記ふきん掛け部２ｃとまな板収納部２ｄとを支持したシャフト２ｊの両端部と、上段の水切り部２ａの両端部とが支持されているとともに、下段の水切り部２ｂは、下部フレーム２Ｂの上部で支持されている。また、下部フレーム２Ｂの下部に水受けトレー１０を取付けている。
【００２８】
前記仕切りフレーム２Ｅと左側部フレーム２Ｃとの間には、上下２段の小物収納部２ｅを区画する上段の仕切り板２ｈの両端部が支持されているとともに、下段の仕切り板２ｉは、下部フレーム２Ｂの下部で支持されている。
【００２９】
前記上段の水切り部２ａと仕切り板２ｈとは、取り外して高さ位置を調整できるようになっていることが好ましい。
【００３０】
前記上部フレーム２Ａと下部フレーム２Ｂと左側部フレーム２Ｃと右側部フレーム２Ｄとの裏面（ダイニング側）には化粧板１１が取付けられて覆われるとともに、左側部フレーム２Ｃと右側部フレーム２Ｄ、および上部フレーム２Ａには、化粧板１２ａ〜１２ｃがそれぞれ取付けられている。なお、化粧板１１が透光性であると、ダイニング側の光で収納棚２内を明るくすることができる。
【００３１】
図３〜図５に示すように、前記昇降用開口５に対応するフロアキャビネット１の内部には、下降位置Ｄの収納棚２を収納する収納空間１４が設けられ、この収納空間１４は、左右の側板１４Ａ，１４Ｂと底板１４Ｃとで上面が開口した略Ｕ字状に形成されている。そして、左右の側板１４Ａ，１４Ｂと底板１４Ｃとのシンク３側の面は背板１４Ｄで閉じられているとともに、ダイニング側の面は点検用扉１４Ｅで開閉可能に閉じられている。
【００３２】
前記収納空間１４に換気ファンを設ければ、下降位置Ｄの収納棚２に収納した食器等の収納物の乾きが早くなるので有利である。また、収納棚２自体を食器乾燥機または食器洗い乾燥機として構成することも可能である。
【００３３】
前記収納空間１４内には、収納棚２の昇降機構６等が収納されている。すなわち、前記収納空間１４の左右の側板１４Ａ，１４Ｂの内面には、上下方向に延在して、奥行き方向に一対のガイドレール１５がそれぞれ固定され、この一対のガイドレール１５の間に位置する左右の側板１４Ａ，１４Ｂの内面には、ガイドレール１５の上端部と下端部とに対応して、上プーリ１６Ａと下プーリ１６Ｂとがそれぞれ固定されている。
【００３４】
前記収納棚２の左側部フレーム２Ｃと右側部フレーム２Ｄとの下部には、図６（ｂ）に示すように、Ｈ字状のブラケット１７がそれぞれ固定され、各ブラケット１７には、前記対応するガイドレール１５に上下摺動可能に嵌り込む合成樹脂製のシュー１８がそれぞれ取付けられている。
【００３５】
そして、前記ブラケット１７のシュー１８がガイドレール１５で上下摺動するようにガイドされることにより、収納棚２がカウンター下の下降位置Ｄと、カウンター上の上昇位置Ｕとに昇降動されるようになる。
【００３６】
前記収納空間１４の底板１４Ｃの左右方向のほぼ中央位置には、電動モータ２０と、この電動モータ２０でチェーン２１ａを介して駆動される２個のドラム２１Ａ，２１Ｂとが設置されて、一方のドラム２１Ａには、左側のベルト２２Ａが下方から巻き付けられて内端部が係止されるとともに、他方のドラム２１Ｂには、右側のベルト２２Ｂが上方から巻き付けられて内端部が係止されている。
【００３７】
前記左側のベルト２２Ａは、左の側板１４Ａの下プーリ１６Ｂと上プーリ１６Ａとに順に掛け回されて、その外端部が前記収納棚２の左側部フレーム２Ｃのブラケット１７に係止されるとともに、前記右側のベルト２２Ｂは、右の側板１４Ｂの下プーリ１６Ｂと上プーリ１６Ａとに順に掛け回されて、その外端部が前記収納棚２の右側部フレーム２Ｄのブラケット１７に係止されるようになる。
【００３８】
したがって、前記スイッチパネル７の上昇スイッチ７ａをプッシュ操作することで、電動モータ２０が正転すると、各ドラム２１Ａ，２１Ｂが図４（ａ）において矢印ａ回りに駆動されて、左右のベルト２２Ａ，２２Ｂが各ドラム２１Ａ，２１Ｂに巻き取られることで、収納棚２の左右のブラケット１７が左右のベルト２２Ａ，２２Ｂで引っ張り上げられながらガイドレール１５でガイドされて上昇することにより、収納棚２がカウンター上の上昇位置Ｕに上昇されるようになる。前記収納棚２が上昇位置Ｕまで上昇されると、電動モータ２０が停止して、逆転しないようにブレーキが掛けられるとともに、上昇スイッチ７ａをさらにプッシュ操作しても電動モータ２０が正転されないように制御される。
【００３９】
前記スイッチパネル７の下降スイッチ７ｃをプッシュ操作することで、電動モータ２０のブレーキが解除されて、収納棚２の左右のブラケット１７がガイドレール１５でガイドされて、収納棚２が自重で下降することにより、収納棚２がカウンター下の下降位置Ｄに下降されるようになる。なお、図４（ａ）において、１７´は、下降位置Ｄのブラケットを示している。
【００４０】
この場合、電動モータ２０を逆転させながら左右のベルト２２Ａ，２２Ｂを各ドラム２１Ａ，２１Ｂに巻き戻すようになるが、この電動モータ２０の逆転は、収納棚２が自重で急激に下降しないようにブレーキを掛けるように設定されている。なお、下降スイッチ７ｃをプッシュ操作すると、収納棚２がカウンター下の下降位置Ｄに自動下降されるが、下降位置Ｄの手前（例えば５０ｍｍ程度）までは、自動下降するが、それ以上の下降は、下降スイッチ７ｃをプッシュ操作し続けなければ下降しないようにすれば（いわゆる２段押し）、安全性を高めることができる。
【００４１】
また、前記スイッチパネル７の停止スイッチ７ｂをプッシュ操作すると、電動モータ２０が停止して、収納棚２を上昇途中位置または下降途中位置でストップさせることができる。
【００４２】
前記収納空間１４の底板１４Ｃの上には、制御ボックス４０（図３参照）が取付けられ、この制御ボックス４０の制御回路に、前記電動モータ２０，各スイッチ７ａ〜７ｃ、各報知・警報部７ｄ〜７ｆ、後述する水位検出手段２９等が接続されている。
【００４３】
図８に詳細に示すように、前記昇降用開口５の四周囲を取り囲む横長長方形状の導電性（例えばアルミニューム製）のカバー枠３７が設けられ、このカバー枠３７の内縁に、前記昇降する収納棚２の各壁面と接触しないように立ち上がる立ち上がり部３７ａが形成されるとともに、フロアキャビネット１の昇降用開口５の四周囲のカウンター面１ａに載置されるフランジ部３７ｂが形成されている。この導電性のカバー枠３７は、静電検出センサー（異物検出手段）３８を兼ねるようになる。また、このカバー枠３７によって、昇降用開口５と収納棚２との間の隙間を覆うようになる。
【００４４】
前記カバー枠３７のフランジ部３７ｂの下面には、四周囲の適所に圧電センサー（異物検出手段）３９が取付けられ、この圧電センサー３９を介して、カバー枠３７である静電検出センサー３８が電気的に絶縁された状態でカウンター面１ａに載置されるようになる。具体的には、図９に示すように、カバー枠３７の下面に形成された溝部３７ｃにケーブル状の圧電センサー３９が嵌め込まれるとともに、カバー枠３７の内部にねじ４７で固定される押さえ板４８で外れないように押さえられている。なお、４９は、カウンター面１ａに固定されたバックガードで、カウンター面１ａの水が昇降用開口５内に浸入するのをブロックするものである。また、５０は、昇降用開口５の周囲の適所に取付けられた弾性の係止具で、カバー枠３７の下面に形成された弾性の被係止部３７ｄを上方から押し付けることで、係止具５０に被係止部３７ｄが係止されるようになる。したがって、昇降用開口５の周囲の係止具５０に、カバー枠３７の被係止部３７ｄをワンタッチで係止できるようになる。
【００４５】
前記収納空間１４の底板１４Ｃの上の制御ボックス４０の制御回路に、カバー枠３７である静電検出センサー３８と圧電センサー３９とがリード線４１で接続されている。
【００４６】
前記制御ボックス４０の制御回路には、図１１（ａ）に示すように、カバー枠３７である静電検出センサー３８と対地の間の静電容量Ｃ１が予め記憶されていて、カバー枠３７である静電検出センサー３８に静電容量を持つ異物（例えば人体）が触れると、人体と対地の間の静電容量Ｃ２の分が増加するので、この静電容量の増加（Ｃ１＋Ｃ２）でカバー枠３７に異物が乗っていることを検出するようになる。
【００４７】
また、圧電センサー３９は、カバー枠３７に静電容量を持たない異物（例えば調味料の瓶等）が乗っていると、その圧力の変化からカバー枠３７に異物が乗っていることを検出するようになる。
【００４８】
一方、前記収納棚２の水受けトレー１０の底部は、中央部が下向きに窪むように形成されて、この底部の中央部には排水口１０ａが設けられている。この排水口１０ａにフレキシブルな排水パイプ２５の一端２５ａが連結されるとともに、この排水パイプ２５の他端２５ｂは、前記収納空間１４の背板１４Ｄの内壁面に取付けた水受けマス２６の上部位置に連結されている。
【００４９】
前記水受けマス２６は、上部が開口した四角箱状であり、この水受けマス２６の下部にはＵ字状の排水トラップ２７の入口端が連結されるとともに、この排水トラップ２７の出口端には排水管２８が連結されている。この排水管２８は、前記収納空間１４の底板１４Ｃの開口１４ａから下水配管等（図示せず。）に連結されている。
【００５０】
前記排水パイプ２５の内径Ｄ１は、排水管２８の内径Ｄ２より小さく設定している。
【００５１】
また、前記排水トラップ２７内には、図４（ｂ）に示すように、排水トラップ２７内の水位Ｌを検出する水位検出手段２９が設けられている。
【００５２】
さらに、前記収納空間１４の背板１４Ｄの内壁面に取付けた水受けマス２６とほぼ同じ高さ位置に、傾斜させた水受け樋３０が背板１４Ｄの内壁面に水密状態で取付けられて、この水受け樋３０の傾斜下側は、水受けマス２６の上部位置に連結されている。この水受け樋３０は、前記昇降用開口５のほぼ真下に位置させている。
【００５３】
上記のようなフロアキャビネット１であれば、フロアキャビネット１のカウンターに形成した昇降用開口５内に設置した収納棚２を、不使用時にはカウンター下の収納空間１４に下降させるとともに、使用時にはカウンター上に上昇させるようにしたから、キッチンとダイニングとの間に壁面が無いオープン型の対面キッチンに好適であって、収納棚２をカウンター上に上昇させれば、屈まずに収納棚２から収納物を出し入れできるようになる。
【００５４】
また、収納棚２は、カウンター上に上昇させるだけであるから、収納棚２のいずれの段にある食器等の収納物でも出し入れしやすくなるとともに、収納棚２をカウンター下の収納空間１４に下降させれば、カウンター上面を広く使えるようになるとともに、カウンター上での別の作業の邪魔にならなくなる。
【００５５】
さらに、収納棚２の下降前に、昇降用開口５の付近に異物があることを静電検出センサー３８で検出すると、図１１（ｂ）のように、その検出信号が制御ボックス４０に送られて、制御ボックス４０の異物検出停止回路から昇降機構６の電動モータ２０に停止信号が送られて、スイッチパネル７の下降スイッチ７ｃをプッシュ操作しても、電動モータ２０が停止したままで、収納棚２が下降しなくなる。
【００５６】
また、収納棚２の下降途中に、昇降用開口５の付近に異物があることを静電検出センサー３８で検出すると、同様にして、電動モータ２０が緊急に停止して、収納棚２の下降が停止されるようになる。
【００５７】
加えて、収納棚２の下降終期に、天板２ｆと昇降用開口５の付近とに、例えば調味料の瓶等の異物が挟まれたことを圧電センサー３９で検出すると、同様にして、電動モータ２０が緊急に停止して、収納棚２の下降が停止されるようになる。
【００５８】
この電動モータ２０の緊急停止の直後に、電動モータ２０を僅かな時間だけ逆転して収納棚２を所定の上昇位置まで上昇動作させるように、前記制御ボックス４０で電動モータ２０を制御すれば、異物が挟まれていても容易に取り除くことができる。
【００５９】
同時に、スイッチパネル７の下降スイッチ７ｃをプッシュ操作していても、これらのプッシュ操作がキャンセルされて、電動モータ２０が逆転、つまり、収納棚２が下降されないようになる。合わせて、スイッチパネル７の異物挟み込み報知・警報部７ｅで報知して、異物を取り除くことを促すことができる。なお、上昇スイッチ７ａをプッシュ操作すれば、電動モータ２０が正転、つまり、収納棚２が上昇されるようにすれば、異物が挟まれていても容易に取り除くことができる。
【００６０】
このようにして、収納棚２と昇降用開口５の付近のカウンター面１ａとの間に異物が挟まれることを防止できるようになる。
【００６１】
特に、静電検出センサー３８と圧電センサー３９とを昇降用開口５の周囲のカバー枠３７に設けることで、収納棚２とカバー枠３７との間に異物が挟まれることを未然に防止できるようになる。
【００６２】
また、異物検出手段として、静電検出センサー３８と圧電センサー３９とを組み合わせれば、静電検出センサー３８によって、静電容量を持つ異物（例えば人体）をいち早く検出して、挟まれないよう未然に防止できるとともに、圧電センサー３９によって、静電容量を持たない異物（例えば調味料の瓶等）も確実に検出できるようになるので、より安全性が向上するようになる。
【００６３】
前記各説明では、収納棚２の下降前、下降途中、下降終期に、それぞれ昇降用開口５の付近に異物があることを静電検出センサー３８や圧電センサー３９で検出した時に、収納棚２の下降を停止させるものであったが、加えて、収納棚２の上昇前、上昇途中、上昇終期に、それぞれ昇降用開口５の付近に異物があることを静電検出センサー３８や圧電センサー３９で検出した時に、収納棚２の上昇を停止させることもできる。このようにすれば、安全性がより向上するようになる。
【００６４】
前記説明では、静電検出センサー３８と圧電センサー３９とを設けたものであったが、いずれか一方のセンサーだけであっても良い。
【００６５】
図１０は、変形例であって、同図（ａ）（ｂ）のように、前記昇降用開口５の開口縁の四周囲に型枠４２を取付けて、この型枠４２の上面に、ヒンジ部４３ａで上下揺動可能な平板状サッシ４３を設けるとともに、前記型枠４２内の適所に、アクチュエータ４４ａを上向きにしたリミットスイッチ４４を取付ける。このサッシ４３によって、昇降用開口５と収納棚２との間の隙間を覆うようになる。なお、型枠４２の内面に、収納棚２の壁面との間をシールするパッキン４５を取付けることができる。
【００６６】
前記サッシ４３は、常時はアクチュエータ４４ａのバネ力で上揺動されていて、サッシ４３に異物（例えば調味料の瓶等）が乗ったときに、アクチュエータ４４ａのバネ力に抗してサッシ４３が下揺動されて、リミットスイッチ４４がオンするようになる。このリミットスイッチ４４は、前記制御ボックス４０にリード線４１で接続されている。
【００６７】
そして、収納棚２の下降途中に、昇降用開口５の付近に異物があると、アクチュエータ４４ａのバネ力に抗してサッシ４３が下揺動されて、リミットスイッチ４４がオンすると、前記と同様に、その信号が制御ボックス４０に送られて、制御ボックス４０の異物検出停止回路から昇降機構６の電動モータ２０に停止信号が送られ、電動モータ２０が緊急に停止して、収納棚２の下降が停止されるようになる。
【００６８】
また、図１０（ｃ）のように、前記収納棚２の天板２ｆの下面の適所に、前記と同様の圧電センサー３９を設けることもできる。この圧電センサー３９は、前記制御ボックス４０にリード線４１で接続されている。
【００６９】
そして、収納棚２の下降途中に、昇降用開口５の付近に異物があることを圧電センサー３９で検出すると、前記と同様に、その信号が制御ボックス４０に送られて、制御ボックス４０の異物検出停止回路から昇降機構６の電動モータ２０に停止信号が送られ、電動モータ２０が緊急に停止して、収納棚２の下降が停止されるようになる。
【００７０】
前記実施形態は、フロアキャビネット１の昇降式収納装置として、収納棚２の１つである水切り棚を例にとったが、これに限られるものではなく、食器乾燥機または食器洗い乾燥機であっても良い。
【図面の簡単な説明】
【００７１】
【図１】本発明の一実施形態を示すキッチン用フロアキャビネットであり、（ａ）は収納棚が下降位置の斜視図、（ｂ）は収納棚が上昇位置の斜視図である。
【図２】（ａ）はＬ型のフロアキャビネットの斜視図、（ｂ）はスイッチパネルの正面図である。
【図３】昇降式収納装置をダイニング側から見た斜視図である。
【図４】（ａ）は昇降式収納装置をダイニングから見た正面図、（ｂ）は排水トラップの側面図である。
【図５】（ａ）は収納棚を省略した昇降式収納装置の平面図、（ｂ）は昇降式収納装置の要部断面側面図である。
【図６】（ａ）は天板を省略した収納棚の斜視図、（ｂ）はガイドレールとブラケットの斜視図である。
【図７】天板を省略した収納棚の分解斜視図である。
【図８】異物検出手段を設けた収納棚であり、（ａ）は全体斜視図、（ｂ）はカバー枠の斜視図、（ｃ）はカバー枠の要部断面図である。
【図９】カバー枠部分の拡大断面図である。
【図１０】変形例の異物検出手段を設けた収納棚であり、（ａ）は要部斜視図、（ｂ）は型枠部分の断面図、（ｃ）は天板に圧電センサーを設けた収納棚の全体斜視図である。
【図１１】（ａ）は静電検出センサーの回路図、（ｂ）は異物検出のシステム図である。
【符号の説明】
【００７２】
１      キッチン用フロアキャビネット
１ａ    カウンター
２      収納棚
５      昇降用開口
６      昇降機構
１４    収納空間
２０    電動モータ
３７    カバー枠
３８    静電検出センサー（異物検出手段）
３９    圧電センサー（異物検出手段）
４０    制御ボックス（異物検出停止手段）
４２    型枠
４３    サッシ
４４    リミットスイッチ（異物検出手段）
【図１】
2006136703.tif 000003
【図２】
2006136703.tif 000004
【図３】
2006136703.tif 000005
【図４】
2006136703.tif 000006
【図５】
2006136703.tif 000007
【図６】
2006136703.tif 000008
【図７】
2006136703.tif 000009
【図８】
2006136703.tif 000010
【図９】
2006136703.tif 000011
【図１０】
2006136703.tif 000012
【図１１】
2006136703.tif 000013